(57)【要約】【課題】  美術工芸品等の展示品や収蔵品の破損リスク低減を可能にすることにある。【解決手段】  展示物或いは収蔵物を運び込む前の展示用或いは収蔵用施設のスペース内に空気清浄器を設置して前記スペース内を清浄化し、清浄化後に、前記空気清浄器を前記スペースから取り出し、次いで、粒状吸着材を通気性シートで挟持した吸着シートをＨＥＰＡ用ろ材或いはＵＬＰＡ用ろ材からなる通気性袋体に収容するとともに掛止手段を備えて展示用或いは収蔵用施設のスペース内に吊り下げ自在としてなるケミカル除去シートを、前記スペース内に吊り下げ、その状態で前記スペース内に展示物或いは収蔵物を展示或いは収蔵する。【選択図】  図２
2011120759.tif 000002
【特許請求の範囲】
【請求項１】
粒状吸着材を通気性シートで挟持した吸着シートをＨＥＰＡ用ろ材或いはＵＬＰＡ用ろ材からなる通気性袋体に収容するとともに掛止手段を備えて展示用或いは収蔵用施設のスペース内に吊り下げ自在としてなるケミカル除去シート。
【請求項２】
前記通気性袋体は区画壁で仕切られた複数の区画室を備えることを特徴とする請求項１記載のケミカル除去シート。
【請求項３】
前記区画室に、有機ガス用、酸性ガス用、アルカリガス用の３種の吸着シートから適宜選択して収容したことを特徴とする請求項２記載のケミカル除去シート。
【請求項４】
前記通気性袋体は前記ＨＥＰＡ用ろ材或いはＵＬＰＡ用ろ材を重ねてヒートシールして区画壁を形成したものであることを特徴とする請求項２または３に記載のケミカル除去シート。
【請求項５】
前記掛止手段は前記スペース内の可動壁のレールに吊り下げるための吊り下げ手段であることを特徴とする請求項１乃至４の何れかに記載のケミカル除去シート。
【請求項６】
展示物或いは収蔵物を運び込む前の展示用或いは収蔵用施設のスペース内に空気清浄器を設置して前記スペース内を清浄化し、清浄化後に、前記空気清浄器を前記スペースから取り出し、次いで、前記請求項１乃至５の何れかに記載のケミカル除去シートを前記スペース内に吊り下げ、その状態で前記スペース内に展示物或いは収蔵物を展示或いは収蔵することを特徴とする展示用、或いは、収蔵用施設の環境改善維持方法。
【請求項７】
前記空気清浄器はファン付きフィルタユニットであることを特徴とする請求項６記載の展示用或いは収蔵用施設の環境改善維持方法。
【請求項８】
前記ファン付きフィルタユニットはガス除去フィルタと、高性能フィルタを備えるものであることを特徴とする請求項７記載の展示用或いは収蔵用施設の環境改善維持方法。
【発明の詳細な説明】
【技術分野】
【０００１】
本発明は、例えば、文化財公開施設等の展示用或いは収蔵用施設の環境を改善維持するために用いられるケミカル除去シートと、このケミカル除去シートを用いた展示用或いは収蔵用施設の環境改善維持方法に関する。
【背景技術】
【０００２】
文化財公開施設で検出される室内汚染物質の影響は、コンクリート、観覧者等に起因するアンモニア、アミン類等のアルカリ性物質による油絵の褐変や銅器・銀器の腐食促進の問題や、内装材のベニア合板樹脂のり等に起因するギ酸、酢酸等の酸性物質による金属工芸品の腐食、緑青など岩絵の具の変質、鉛丹の変色の問題、更には、ベニア合板塗膜材料、殺菌剤等に起因するホルムアルデヒド等のアルデヒドによる鉛丹など岩絵の具の変色、たんぱく質の硬化の問題等を引き起こすことが非特許文献１で紹介され、空気質改善することが望まれている。
従来、文化財や美術工芸品等の展示或いは収蔵環境の空気質改善方法として、例えば、特許文献１に開示されたものが知られている。即ち、以下に示すように、この方法は、吸着材を保持した通気性シートを用いて施工後の壁面や床面からの汚染ガスを吸着除去するようになっており、主に、施工後のコンクリートからのアルカリ性汚染因子を対象としている。更に詳細に説明すれば、展示用或いは収蔵用スペースの内壁面施工が終了した後、内壁面に含まれる汚染因子に合わせた吸着材を保持した通気性シートを、内壁面に近接或いは接触させて配置し、吸着除去し、更にスペース内の空気をサーキュレータ等を用いて循環させて、汚染因子を吸着除去し、所定期間後に通気性シートを取り外して、展示品や収蔵品を入れるようにしている。また、床面上に床面から放出するガスの吸着剤を配置し、その上に非通気性シートを敷いて、更に上に外気からのガス吸着剤を配置することもできるものとなっている。また、静電吸着フィルタと、ガス吸着剤（浄化剤）と、吸湿フィルタを組込んだろ過式空気清浄器を用いて展示室内の環境を維持することも開示されている。
【先行技術文献】
【特許文献】
【０００３】
【特許文献１】特許３０２９９７９号
【非特許文献】
【０００４】
【非特許文献１】「空気清浄」（第３８巻第１号）
【発明の概要】
【発明が解決しようとする課題】
【０００５】
しかしながら、前記従来技術では、美術工芸品等の展示中にろ過式空気清浄器を稼動するので、機械故障等による漏電、差圧上昇によるモータ焼付けなどによる火災リスクが考えられ、また、活性炭や各種吸着剤が摩擦等により破損し、気流に乗って展示品に接触する可能性があるため、ガス吸着剤等からの発塵による美術工芸品の汚損リスクがあった。
そこで、本発明は、このような従来の問題点に着目してなされたもので、その目的は、美術工芸品等の展示品や収蔵品の破損リスク低減を可能にすることにある。
【課題を解決するための手段】
【０００６】
本発明者等は、上記目的を達成するために鋭意研究の結果、下記の解決手段を見いだした。
本発明のケミカル除去シートは、請求項１記載の通り、粒状吸着材を通気性シートで挟持した吸着シートをＨＥＰＡ用ろ材或いはＵＬＰＡ用ろ材からなる通気性袋体に収容するとともに掛止手段を備えて展示用或いは収蔵用施設のスペース内に吊り下げ自在としてなることを特徴とする。
また、請求項２記載のケミカル除去シートは、請求項１記載のケミカル除去シートにおいて、前記通気性袋体は区画壁で仕切られた複数の区画室を備えることを特徴とする。
また、請求項３記載のケミカル除去シートは、請求項２記載のケミカル除去シートにおいて、前記区画室に、有機ガス用、酸性ガス用、アルカリガス用の３種の吸着シートから適宜選択して収容したことを特徴とする。
また、請求項４記載のケミカル除去シートは、請求項２または３記載のケミカル除去シートにおいて、前記通気性袋体は前記ＨＥＰＡ用ろ材或いはＵＬＰＡ用ろ材を重ねてヒートシールして区画壁を形成したものであることを特徴とする。
また、請求項５記載のケミカル除去シートは、請求項１乃至４記載のケミカル除去シートにおいて、前記掛止手段は前記スペース内の可動壁のレールに吊り下げるための吊り下げ手段であることを特徴とする。
また、本発明の展示用或いは収蔵用施設の環境改善維持方法は、請求項６記載の通り、展示物或いは収蔵物を運び込む前の展示用或いは収蔵用施設のスペース内に空気清浄器を設置して前記スペース内を清浄化し、清浄化後に、前記空気清浄器を前記スペースから取り出し、次いで、前記請求項１乃至５の何れかに記載のケミカル除去シートを前記スペース内に吊り下げ、その状態で前記スペース内に展示物或いは収蔵物を展示或いは収蔵することを特徴とする。
また、請求項７記載の展示用或いは収蔵用施設の環境改善維持方法は、請求項６記載の展示用或いは収蔵用施設の環境改善維持方法において、前記空気清浄器はファン付きフィルタユニットであることを特徴とする。
また、請求項８記載の展示用或いは収蔵用施設の環境改善維持方法は、請求項７記載の展示用或いは収蔵用施設の環境改善維持方法において、前記ファン付きフィルタユニットはガス除去フィルタと、高性能フィルタを備えるものであることを特徴とする。
【発明の効果】
【０００７】
本発明のケミカル除去シートによれば、粒状吸着材を通気性シートで挟持した吸着シートをＨＥＰＡ用ろ材或いはＵＬＰＡ用ろ材からなる通気性袋体に収容して、吸着材をシート化することにより、吸着材の磨耗等が低減され発塵が低減する。また、発塵した場合でも、ＨＥＰＡ用或いはＵＬＰＡ用ろ材により、スペース内に有害な塵埃を飛散させない。そのため、塵埃による美術工芸品の汚れや傷つきなどの汚損リスクを低減できる。また、掛止手段を備えて展示用或いは収蔵用施設のスペース内に吊り下げ自在としたことにより、ケミカル除去シートの表裏から吸着できるため、コンクリートだけでなくベニア合板、観覧者、樹脂のり等からの室内の発ガスを除去することが可能となる。
また、本発明の展示用或いは収蔵用施設の環境改善維持方法によれば、展示物或いは収蔵物を運び込む前の展示用或いは収蔵用施設のスペース内に空気清浄器を設置して前記スペース内を清浄化し、清浄化後に、前記空気清浄器を前記スペースから取り出し、次いで、前記ケミカル除去シートを前記スペース内に吊り下げ、その状態で前記スペース内に展示物或いは収蔵物を展示或いは収蔵するようにしたので、美術工芸品等の重要物が部屋に入っている期間は電気式の空気清浄器を稼動しないため、火災リスクの低減が図れる。
【図面の簡単な説明】
【０００８】
【図１】本発明ケミカル除去シートに用いられる吸着シートの一実施の形態を示す斜視図
【図２】本発明ケミカル除去シートの一実施の形態を示す平面図
【図３】（ａ）同ケミカル除去シートの使用状態を示す正面図，（ｂ）同ケミカル除去シートの使用状態を示す側断面図
【図４】同斜視図
【図５】本発明環境改善維持方法に用いられる空気清浄器の使用方法の一実施の形態を示す斜視図
【図６】本発明環境改善維持方法の一実施例における酢酸濃度の経時変化を示す特性線図
【発明を実施するための形態】
【０００９】
次に、本発明の実施の形態について説明する。
図１は、本発明のケミカル除去シートに用いられる吸着シートの一実施の形態を示すもので、図中１は酸性ガス用の吸着シートを示し、活性炭からなる粒状吸着材１ａを不織布からなる２枚の通気性シート１ｂ，１ｂで狭持したもので、図略の粉末状ホットメルト樹脂で前記粒状吸着材１ａを前記通気性シート１ｂ，１ｂに固定するとともに前記２枚の通気性シート１ｂ，１ｂ同士を固定するようにした。尚、前記不織布に熱融着性繊維配合してこれを前記粉末状ホットメルト樹脂に代えて前記固定に用いるようにしてもよい。
【００１０】
前記粒状吸着材としては、活性炭やイオン交換樹脂等を用いることができる。
【００１１】
また、通気性シートとしては、熱可塑性樹脂等の合成樹脂からなる不織布が好ましいが、前記粒状吸着材を狭持してバインダー等で固定できればよく、特に限定されるものではない。
【００１２】
図２は図中１０で示される本発明のケミカル除去シートの一実施の形態を示すもので、図中２は通気性袋体を示すもので、６５０ｍｍ×１７３０ｍｍの２枚のＰＴＦＥ製ＨＥＰＡ用ろ材２ａ，２ａをヒートシールして、ヒートシール２ｂで形成された区画壁２ｃによって二つの区画室２ｄ，２ｄに仕切られており、各区画室２ｄ，２ｄに前記酸性ガス用吸着シート１が収容されている。また、前記通気性袋体２の上端側には掛止手段２ｅとして、吊り下げ手段としてのアルミニウム製のパイプが前記通気性袋体２の上端に設けた袋部に挿通して設けられ、また、同じく、前記通気性袋体の下端側には錘２ｆとしてアルミニウム製のパイプが前記通気性袋体２の下端に設けた袋部に挿通して設けられている。
本実施例では、上下２室の区画室を設けた例を示したが、３室以上に区画したり、左右に区画したりしてもよい。
本実施の形態では、吸着シートとして酸性ガス用吸着シートを用いた例を示したが、アルカリガス用や有機ガス用の吸着シートを単独で、或いは、これら有機ガス用、酸性ガス用、アルカリガス用の吸着シートを適宜組み合わせて用いるようにしてもよい。
【００１３】
図３及び図４は前記ケミカル除去シートの使用状態を示すもので、可動壁３０の上端側に設けられたレール３１を利用して前記ケミカル除去シート１０を８枚吊り下げた状態を示すものである。各ケミカル除去シート１０の上端に設けられた掛止手段２ｅとしてのアルミニウム製のパイプ２ｅにワイヤー１１を挿通し、両端のパイプ２ｅ，２ｅから突出させたワイヤー１１の端部を、前記レール３１に取り付けたフック３２に結びつけて、前記レール３１に吊り下げるようにした。
尚、ケミカル除去シート１０を吊り下げるには、前記態様に限ることなく、例えば、それぞれのケミカル除去シート１０の上端に取り付け用のフックを吊り下げ手段として取り付け、そのフックを前記レールに直接掛止させて吊り下げるようにしてもよい。
前記ケミカル除去シート１０は、表裏から吸着できるように、前記可動壁３０との間に隙間を存して吊り下げるのが好ましい。
【００１４】
図５は、本発明の展示用或いは収蔵用施設の環境改善維持方法に用いられる図中２０で示される空気清浄器２０を施設内に設置した状態を示すもので、本実施の形態では前記空気清浄器２０として、上流側にアルカリガス用のガス除去フィルタ２０ａ、その下流側に酸性ガス除去用のガス除去フィルタ２０ｂ、更に、その下流側にＨＥＰＡフィルタからなる高性能フィルタ２０ｃを備えるファン付きフィルタユニットを用いたものである。尚、図中２０ｄは前記ガス徐去フィルタ２０ａ、２０ｂと、ＨＥＰＡフィルタ２０ｃの間に設けられた送風機を示し、２１は前記空気清浄機２０を設置する架台を示す。
ガス除去フィルタ２０ａの後段に高性能フィルタ２０ｃを配置することにより、活性炭等の吸着剤から脱落した塵埃が室内に拡散して汚染するのを防ぐことができる。
尚、必要に応じ、プレフィルタを設けることも任意である。
【００１５】
本発明の展示用或いは収蔵用施設の環境改善維持方法は、図５に示すように、先ず、展示物或いは収蔵物を運び込む前の展示用或いは収蔵用施設のスペース内に空気清浄器２０を設置して前記スペース内を清浄化し、清浄化後に、前記空気清浄器２０を前記スペースから取り出し、次いで、図３、図４に示すように前記ケミカル除去シート１０を前記スペース内に吊り下げ、その状態で前記スペース内に展示物或いは収蔵物を展示或いは収蔵するものである。
【実施例】
【００１６】
以下に本発明の具体的な実施例を説明する。
空気清浄器として、図５に示される上流側にアルカリガス用のガス除去フィルタ２０ａ、その下流側に酸性ガス除去用のガス除去フィルタ２０ｂ、更に、その下流側にＨＥＰＡフィルタ２０ｃを備えたファン付きフィルタユニットを用いた。
ケミカル除去シート１０として、図２に示すケミカル除去シート１０を１２枚用いた。
また、本実施例では、全面がガラス張りで背面、床面、天面および可動壁３０はクロス貼展示用ウォールケース（寸法：６５００ｍｍ×１５００ｍｍ×３３００ｍｍ）を試験スペースとした。
クロス面の面積は、壁面６．５ｍ×３．３ｍ＋床面・天面６．５ｍ×１．５ｍ×２＋可動壁６．５ｍ×３．３ｍ×２≒８４ｍ２で、ケミカル除去シート１０の面積は１．６７×０．６５×１２枚≒１３ｍ２であるため、全クロス面に対し、約１６％を覆った計算になる。
本実施例の場合、背面、床面、天面および可動壁３０はクロス貼のクロス接着剤が酢酸類の発生源と推定される。
初期酢酸濃度は６００μｇ／ｍ３であった。
【００１７】
本実施例では、先ず、前記試験スペース内に前記空気清浄器２０を設置して1週間運転した。酢酸濃度が１５０μｇ／ｍ３に達した時点で前記空気清浄器を撤去した。その後、前記ケミカル除去シート１０を前記空気清浄器２０を撤去されたスペース内に１２枚吊した。
【００１８】
図６は、試験スペース内の酢酸濃度を示すもので、前記空気清浄器２０の稼働（図６中１）により、酢酸濃度は急激に低減される（図６中２）。その後、前記空気清浄器を取り外し、ケミカル除去シートを設置することにより、酢酸の濃度を低く保つことができる（図６中３）。
【産業上の利用可能性】
【００１９】
本発明は美術工芸品等の展示品や収蔵品の破損リスク低減を可能にすることができるケミカル除去シート並びにそれを用いた展示用或いは収蔵用施設の環境改善維持方法を提供でき、産業上の利用可能性が高いものである。
【符号の説明】
【００２０】
１    通気性シート
１ａ  粒状吸着材
１ｂ  通気性シート
２    通気性袋体
２ａ  ろ材
２ｂ  ヒートシール
２ｃ  区画壁
２ｄ  区画室
２ｅ  掛止手段
２ｆ  錘
１０    ケミカル除去シート
１１    ワイヤー
２０    空気清浄器
２０ａ  アルカリガス用のガス除去フィルタ
２０ｂ  酸性ガス除去用のガス除去フィルタ
２０ｃ  高性能フィルタ
２０ｄ  送風機
２１    架台
３０    可動壁
３１    レール
３２    フック
【図１】
2011120759.tif 000003
【図２】
2011120759.tif 000004
【図４】
2011120759.tif 000005
【図５】
2011120759.tif 000006
【図６】
2011120759.tif 000007
【図３】
2011120759.tif 000008